(57)【特許請求の範囲】
【請求項１】
主に室内を配管する樹脂管を保護するフレキシブル状の樹脂管を切断する工具であって、
本体（２０）と、該本体（２０）に取り付けられ先端が山形状に折曲された受け板（２１）と、該受け板（２１）の山形状部の内側に対向して接近または離間できるスピンドル（２２）と、該スピンドル（２２）を前記受け板（２１）の山形状部に接近する方向に付勢するばね（２６）と、該スピンドル（２２）に摺動自在に支持され、ばね（２７）により前記受け板（２１）の山形状部に接近する方向に付勢され、且つ先端に切り刃（２３）を有する切り刃部材（２４）とを具備し、前記スピンドル（２２）の先端に蛇管状のフレキシブル状樹脂管の山部の中央に切り刃（２３）が対向するように案内する溝（３２）を設け、前記フレキシブル状樹脂管を、前記山部の大小にかかわらず、山部の中央で切断することができることを特徴とするフレキシブル状樹脂管用切断工具。
【請求項２】
前記溝（３２）は、前記フレキシブル状樹脂管を、前記山部の大小にかかわらず、山部の中央で切断することができるように案内する、断面がＶ字状又はＵ字状の溝であることを特徴とする請求項１に記載のフレキシブル管用切断工具。
【請求項３】
前記溝（３２）の両側壁は、前記フレキシブル状樹脂管を、前記山部の大小にかかわらず、山部の中央で切断することができるように案内することができるように、先細りとなるように傾斜がつけられていることを特徴とする請求項１又は２に記載のフレキシブル状樹脂管用切断工具。
【発明の詳細な説明】
【０００１】
【発明の属する技術分野】
本発明はフレキシブル状樹脂管用切断工具に関する。詳しくは、給湯、給水用の配管又は電線の保護管に用いられる蛇管状のフレキシブル状樹脂管を、その山部の中央で切断することができるフレキシブル状樹脂管用切断工具に関する。
【０００２】
【従来の技術】
従来、電線用の保護管として使われていたフレキシブル状の樹脂保護管を、家屋のガス器具等の配管に使用される配管用樹脂管を保護するために使用されるようになって来ている。図３はこの配管用樹脂管１にフレキシブル状の樹脂管２を嵌装した状態を示している。このようなフレキシブル状樹脂管２の切断には従来は、カッター、ナイフ、はさみ等が用いられているが所定位置を正確に切断することは困難であった。
【０００３】
また、フレキシブル状ではない樹脂管を切断する工具としては、図４に示すようなステンレス鋼フレキシブル管３に樹脂保護管４を被覆した樹脂保護管付ステンレス鋼フレキシブル管５の樹脂保護管４を切断するものとして、図５に示すようなフレキシブル管ストリッパが使用されていた。
【０００４】
図５は従来のフレキシブル管ストリッパを示す図で、（ａ）は側面図、（ｂ）は（ａ）図のｂ−ｂ線における断面図である。このフレキシブル管ストリッパは同図に示すように、把手状の本体６と、長孔７を有し本体６につまみねじ８により伸縮自在に固定され且つ先端が山形状に折曲された受け板９と、本体６に摺動自在に支持され、ばね１０にて受け板９の山形状部の方向に付勢されたスピンドル１１と、該スピンドル１１に摺動自在に支持され、ばね１２により受け板９の山形状部の方向に付勢され、且つ先端に切り刃１３が固定された切り刃部材１４とを具備して構成されている。
【０００５】
そして図６の如く、受け板９の山形状部とスピンドル１１との間に樹脂保護管付ステンレス鋼フレキシブル管１７を挟持し、本体６を樹脂保護管付ステンレス鋼フレキシブル管１７を中心にして矢印Ａ方向に回転させることにより、ばね１２により押圧された切り刃部材１４の切り刃１３によりステンレス鋼フレキシブル管１５を保護している外被覆の樹脂保護管１６を切断することができるようになっている。なお、実際は切り刃１３の出を小さくしてステンレス管を傷付けないようになっている。
【０００６】
【発明が解決しようとする課題】
上記従来のフレキシブル管ストリッパを用いて図３に示したフレキシブル状樹脂保護管を切断しようとすると、図６（ｂ）の如く切り刃１３がフレキシブル状樹脂管１５の谷部に落ち込み易く、そのため山部を切断することが困難であるという問題がある。
【０００７】
本発明は上記従来の問題点に鑑み、蛇管状のフレキシブル状樹脂管を、その山部で確実に切断することができるフレキシブル状樹脂管用切断工具を実現することを目的とする。
【０００８】
【課題を解決するための手段】
本発明の請求項１のフレキシブル状樹脂管用切断工具においては、主に室内を配管する樹脂管を保護するフレキシブル状の樹脂管を切断する工具であって、本体２０と、該本体２０に取り付けられ先端が山形状に折曲された受け板２１と、該受け板２１の山形状部の内側に対向して接近または離間できるスピンドル２２と、該スピンドル２２を前記受け板２１の山形状部に接近する方向に付勢するばね２６と、該スピンドル２２に摺動自在に支持され、ばね２７により前記受け板２１の山形状部に接近する方向に付勢され、且つ先端に切り刃２３を有する切り刃部材２４とを具備し、前記スピンドル２２の先端に蛇管状のフレキシブル状樹脂管の山部の中央に切り刃２３が対向するように案内する溝３２を設けたことを特徴とする。この構成を採ることにより、溝３２により被加工フレキシブル管の山部の中央を切り刃に案内し、その山部の中央を確実に切断することができるフレキシブル状樹脂管用切断工具が得られる。
【０００９】
また請求項２は、前記溝３２は断面がＶ字状又はＵ字状の溝であることを特徴とする。この構成を採ることにより、図２（ｂ）（ｃ）の如く、被加工フレキシブル状樹脂管の山部が大きい場合、溝の両壁内側で管を支持し山の中央部を切断することがでる。
【００１０】
また、請求項３は、前記溝３２の両側壁は先細りとなるように傾斜がつけられていることを特徴とする。この構成を採ることにより、図２（ａ）の如く、被加工フレキシブル状樹脂管の山部が小さい場合、溝の両壁外側で管を支持し山の中央部を切断することがでる。
【００１１】
【発明の実施の形態】
図１は本発明の実施の形態を示す図で（ａ）は正面断面図、（ｂ）は（ａ）図の一部のＢ矢視図、（ｃ）は（ａ）図のｃ−ｃ線における拡大断面図である。本実施の形態は同図に示すように、把手状の本体２０と、受け板２１と、本体２０に摺動自在に支持されたスピンドル２２と、該スピンドル２２に摺動可能に支持され、先端に切り刃２３を有する切り刃部材２４と、該切り刃部材２４に係合してスピンドル２２と共に移動させることができる駆動部材２５と、スビンドル２２を付勢するばね２６および切り刃部材２４を付勢するばね２７等を具備して構成されている。
【００１２】
そして本体２０は把手状をした箱状部に蓋がねじにより固定されており、内部にはスピンドル２２を案内する案内部と、該スピンドル２２を付勢するばね２６を収容する収容部が形成され、また一方の側面には受け板２１を案内する案内溝と、該受け板２１をつまみねじ２８により固定するねじ孔２９とが形成されている。
【００１３】
また受け板２１は前記本体２０の案内溝に案内されて摺動する板状で、本体２０につまみねじ２８で固定するための長孔２１ａが穿設され、且つ先端が山形状に折曲形成されている。
【００１４】
スピンドル２２は前記本体２０の案内部を摺動可能な摺動部の先端に受け台３０が設けられ、該受け台３０には図（ｂ）および（ｃ）に示すように、切断する蛇管状のフレキシブル状樹脂管３１を支持したとき、その山部の中央が切り刃２３に対向するように案内する溝３２が設けられている。
【００１５】
そして、前記溝３２はＶ字状又はＵ字状の断面を有し、且つ、その両側壁は先端が先細りとなるように傾斜がつけられている。また、受け台３０の上縁は側方から見て（ａ）図の如く緩やかなＶ字状であることが被加工管を回転するとき安定するため好ましい。また、該スピンドル２２は一方の端部に係合し他端を本体に係合したばね２６により受け板２１の山形状部の方向に付勢されている。また、該スピンドル２２には切り刃部材２４を摺動可能に支持する案内部が形成されている。
【００１６】
切り刃部材２４は先端に切り刃２３が固定され、該切り刃２３はスピンドル２２の受け台３０に設けられた溝３２の中央に位置するようになっている。そして該切り刃部材２４はスピンドル２２の案内部に摺動自在に支持され、ばね２７により受け板７の山形状部の方向へ付勢されている。また、該切り刃部材２４の下端には駆動部材２５に係合する突起２４ａが形成されている。
【００１７】
駆動部材２５は引き金状のレバー２５ａと、切り刃部材２４に設けられた突起２４ａに係合する突起２５ｂを有し、スピンドル２２と共に本体４内に摺動可能に収容されている。なお駆動部材２５の突起２５ｂと切り刃部材２４の突起２４ａとの係合をはずせば簡易に切り刃の交換ができるようになっている。
【００１８】
このように構成された本実施の形態を使用するには、まず受け板２１をフレキシブル状樹脂管３１の径に合わせて所定の位置につまみねじ２８により固定する。次いで駆動部材２５ののレバー２５ａをばね２６，２７の付勢力に抗して矢印Ｄ方向に押し下げ、スピンドル２２の受け台と受け板２１の山形状部との間隔を拡げ、その間にフレキシブル状樹脂管３１を挿入し、レバー２５ａを放してスピンドル２２の受け台３０と、受け板２１の山形状部との間にフレキシブル状樹脂管３１を挟持する。
【００１９】
この時、フレキシブル状樹脂管３１の山が小さい場合は、図２（ａ）に示すように、溝３２の両側壁の外面で山部を支持するため山の中心と切り刃２３の中心とが一致する。また、フレキシブル状樹脂管３１の山が中位の場合は、図２（ｂ）に示すように、溝３２の両側壁の内面で山部を支持するため山の中心と切り刃２３の中心とが一致する。また、フレキシブル状樹脂管３１の山が大きい場合は、図２（ｃ）に示すように、溝３２の両側壁の先端が山にまたがるようにして支持するため山部の中心と切り刃２３の中心とが一致する。
【００２０】
このように、スピンドル２２の受け台３０と、受け板２１の山形状部との間にフレキシブル状樹脂管３１を挟持した状態で、本体２０を図１（ａ）においてフレキシブル状樹脂管３１を中心にして矢印Ｅ方向に回転することにより、切り刃２３によりフレキシブル状樹脂管３１をその山部の中央において切断することができる。このようにして、フレキシブル状樹脂管３１を山の大小にかかわらず確実に山の中央部で切断することができる。
【００２１】
【発明の効果】
本発明のフレキシブル状樹脂管用切断工具に依れば、スピンドルの先端部にフレキシブル状樹脂管の山部の中心に切り刃が一致するように案内する溝を設けたことにより、該溝でフレキシブル状樹脂管を案内することができ、フレキシブル状樹脂管３１を山の大小にかかわらず確実に山の中央部で切断することができる。
【図面の簡単な説明】
【図１】本発明の実施の形態を示す図で（ａ）は正面断面図、（ｂ）は（ａ）図の一部Ｂ矢視図、（ｃ）は（ａ）図のｃ−ｃ線における拡大断面図である。
【図２】本発明の実施の形態の使用状態を示す図である。
【図３】配管用樹脂管にフレキシブル状樹脂管を嵌装した状態を示す図である。
【図４】従来の樹脂保護管付ステンレス鋼フレキシブル管を示す図である。
【図５】従来のフレキシブル管ストリッパを示す図で、（ａ）は側面図、（ｂ）は（ａ）図のｂ−ｂ線における断面図である。
【図６】発明が解決しようとする課題を説明するための図である。
【符号の説明】
２０…本体
２１…受け板
２２…スピンドル
２３…切り刃
２４…切り刃部材
２５…駆動部材
２６，２７…ばね
２８…つまみねじ
２９…ねじ孔
３０…受け台
３１…フレキシブル状樹脂管
３２…溝
【図１】
0004107703.tif 000002
【図２】
0004107703.tif 000003
【図３】
0004107703.tif 000004
【図４】
0004107703.tif 000005
【図５】
0004107703.tif 000006
【図６】
0004107703.tif 000007